(57)【要約】　　　（修正有）【課題】電池交換に際して蓋体に破損を生じたり蓋体を紛失したりすることを防止できる小型電子機器の電池蓋構造の提供。【解決手段】電池１５を収納する電池収納凹部１７を有するケース本体１１と、前記電池収納凹部を開閉する蓋体２７とを有するものであって、前記蓋体は、前記ケース本体に対しスライドのみ可能に支持されている。このように、蓋体がケース本体に対しスライドのみ可能に支持されているため、電池交換に際しては蓋体をスライドさせるのみであり、よって、誤操作を防止できる。また、蓋体がケース本体に対し取り外し不可であるため、蓋体を紛失することがない。ここで、前記蓋体を開方向に付勢する付勢部材４５と、前記蓋体を閉状態で前記ケース本体に対しロックするロック機構５３とを有する構造にすれば、電池交換時に、ロック機構によるロックを解除することで付勢部材で蓋体を自動的に開作動させることができる。【選択図】　　　　図４
2004022488.tif 000002
【特許請求の範囲】
【請求項１】
電池を収納する電池収納凹部を有するケース本体と、前記電池収納凹部を開閉する蓋体とを有する小型電子機器の電池蓋構造において、
前記蓋体は、前記ケース本体に対しスライドのみ可能に支持されていることを特徴とする小型電子機器の電池蓋構造。
【請求項２】
前記蓋体を開方向に付勢する付勢部材と、前記蓋体を閉状態で前記ケース本体に対しロックするロック機構とを有することを特徴とする請求項１記載の小型電子機器の電池蓋構造。
【請求項３】
前記蓋体を閉方向に付勢する付勢部材と、前記蓋体を開状態で前記ケース本体に対しロックするロック機構とを有することを特徴とする請求項１記載の小型電子機器の電池蓋構造。
【発明の詳細な説明】
【０００１】
【発明の属する技術分野】
本発明は、電子辞書等の小型電子機器の電池蓋構造に関する。
【０００２】
【従来の技術】
電子辞書等の小型電子機器の電池蓋構造の従来のものは、図８に示すように、電池１０１を収納する電池収納凹部１０２を有するケース本体１０３に対し蓋体１０４が着脱可能とされており、さらにケース本体１０３に対し取り付けられた蓋体１０４をケース本体１０３にロックするロック機構１０５が設けられたものである。そして、蓋体１０４をケース本体１０３から取り外す場合は、ロックボタン１０６をスライドさせることによってロック機構１０５のロックを解除した状態で蓋体１０４の中央の爪部１０７のケース本体１０３の内側への係合を解除するために、蓋体１０４を電池収納凹部１０２の方向に押しながら側方にスライドさせるようになっており、このように蓋体１０４を取り外すことでケース本体１０３は電池収納凹部１０２が露出し電池１０１の交換が可能になる（図８に示す状態）。また、蓋体１０４をケース本体１０３に取り付ける場合には、取り外された状態の蓋体１０４をその両端の爪部１０８をケース本体１０３の図示せぬガイド溝に嵌合させるとともに中央の爪部１０７をケース本体１０３の内側に係合させるようにして取り付けられるようになっており、このようにして蓋体１０４がケース本体１０３の電池収納凹部１０２を覆った状態で、ロックボタン１０６をスライドさせることによってロック機構１０５でケース本体１０３に蓋体１０４をロックすることになる。
【０００３】
【発明が解決しようとする課題】
ところで、上記従来の電池蓋構造では、取り外された蓋体をケース本体に取り付ける場合、三カ所の爪部をケース本体に対し位置合わせしてスライドさせなければならなず、誤ってこれ以外の取り付け方をした場合には、爪部が折れてしまうことがあった。また、ケース本体に対し蓋体が取り外せるため、電池交換の際に蓋体を紛失してしまうことがあった。
【０００４】
したがって、本発明は、電池交換に際して蓋体に破損を生じたり蓋体を紛失したりすることを防止できる小型電子機器の電池蓋構造の提供を目的とする。
【０００５】
【課題を解決するための手段】
上記目的を達成するために、本発明の小型電子機器の電池蓋構造は、電池を収納する電池収納凹部を有するケース本体と、前記電池収納凹部を開閉する蓋体とを有するものであって、前記蓋体は、前記ケース本体に対しスライドのみ可能に支持されていることを特徴としている。
【０００６】
このように、蓋体がケース本体に対しスライドのみ可能に支持されているため、電池交換に際しては蓋体をスライドさせるのみであり、よって、誤操作を防止できる。また、蓋体がケース本体に対し取り外し不可であるため、蓋体を紛失することがない。
【０００７】
ここで、前記蓋体を開方向に付勢する付勢部材と、前記蓋体を閉状態で前記ケース本体に対しロックするロック機構とを有する構造にすれば、電池交換時に、ロック機構によるロックを解除することで付勢部材で蓋体を自動的に開作動させることができる。
【０００８】
また、前記蓋体を閉方向に付勢する付勢部材と、前記蓋体を開状態で前記ケース本体に対しロックするロック機構とを有する構造にすれば、電池交換時に、ロック機構によるロックを解除することで付勢部材で蓋体を自動的に閉作動させることができる。
【０００９】
【発明の実施の形態】
本発明の第１実施形態の小型電子機器の電池蓋構造を図１〜図５を参照して以下に説明する。
【００１０】
第１実施形態の電池蓋構造が適用される小型電子機器１０は、例えば電子辞書等であり、図１に示すように、その外側を構成するケース本体１１を有している。ケース本体１１は、図２および図３に示すように、厚さの薄い下ケース１２とこれよりも厚さの厚い上ケース１３とが接合されることで構成されている。そして、下ケース１２の所定の端縁部１４側の所定位置には、電池１５が収納可能となるように下ケース１２の表面から上ケース１３に向けて貫通する電池挿入開口部１６が、図４に示すように、近接する端縁部１４と平行に形成されており、上ケース１３には、図２および図３に示すように、この電池挿入開口部１６と位置を合わせ端縁部１４と平行をなして凹む形状の収納凹部１７が形成されている。下ケース１２の電池挿入開口部１６と上ケース１３の収納凹部１７とで電池１５を収納する電池収納凹部１８が構成されている。また、図１および図３に示すように、下ケース１２の電池挿入開口部１６よりも端縁部１４に対し反対側すなわち内側には、下ケース１２の表面よりも若干凹むスライド凹部１９が形成されている。
【００１１】
そして、図４に示すように、下ケース１２のスライド凹部１９および電池挿入開口部１６の、電池収納凹部１８の長さ方向（図１，図４における左右方向）における両内側は、それぞれスライド凹部１９から電池挿入開口部１６まで連続する直線状をなすとともに、互いに平行をなす内端縁部２１，２２となっている。そして、図２に示すように、両側の内端縁部２１，２２には、それぞれ上ケース１３側に段部２４が形成されており、この下ケース１２の段部２４と上ケース１３とで互いに対向しかつ互いに反対方向に凹む一対の直線状のガイド溝２５が形成されている。
【００１２】
ケース本体１１には、図１〜図４に示すように、電池収納凹部１８を開閉する蓋体２７がスライド可能に設けられている。この蓋体２７は、図１および図２に示すように、長方形板状の蓋体本体２８の長さ方向における両端部に、蓋体本体２８に対し厚さ方向に若干オフセットして長さ方向両側に突出するように板状のガイド突起部２９が形成された形状をなしており、上記した両側のガイド溝２５に両側のガイド突起部２９を挿入させている。
【００１３】
その結果、蓋体２７は、両側のガイド突起部２９がガイド溝２５で案内されて下ケース１２の表面に沿って電池収納凹部１８の長さ方向に直交する方向にスライドすることになり、しかもガイド突起部２９が板状をなすことで常にガイド溝２５に対し平行な姿勢が維持され、さらに、蓋体本体２８が下ケース１２の段部２４よりも表面側の内端縁部２１，２２で案内されることによって、電池収納凹部１８の長さ方向に平行な姿勢が維持されてスライドすることになる。
【００１４】
また、蓋体２７は、図１に示すように、電池挿入開口部１６の側にスライドしたときには、蓋体本体２８が電池挿入開口部１６のスライド凹部１９に対し反対側の内端縁部３１に当接することでそれ以上のスライドが規制されることになり、この内端縁部３１が蓋体２７のスライドに対する一方のストッパとなる。この内端縁部３１に当接するまでスライドした状態で、蓋体２７は、電池挿入開口部１６を閉塞し、その結果、電池収納凹部１８を閉塞した状態となる。
【００１５】
他方、蓋体２７は、図４に示すように、スライド凹部１９の側にスライドしたときには、蓋体本体２８がスライド凹部１９の電池挿入開口部１６に対し反対側の内端縁部３２に当接することでそれ以上のスライドが規制されることになり、この内端縁部３２が蓋体２７のスライドに対する他方のストッパとなる。この内端縁部３２に当接するまでスライドした状態で、蓋体２７は、電池挿入開口部１６を開放し、その結果、電池収納凹部１８を電池交換可能に露出させた状態となる。
【００１６】
そして、これらのスライドの全範囲において、両ガイド突起部２９は両ガイド溝２５に挿入され、かつ蓋体本体２８が下ケース１２の内端縁部２１，２２で案内されることになり、その結果、蓋体２７は、ケース本体１１に対しいずれの方向の回転も規制されて直線状のスライドのみが可能に支持されており、その結果、ケース本体１１に対し取り外し不可となっている。さらに詳しく言えば、蓋体２７は、ケース本体１１に対し、蓋体２７の長手方向、幅方向および厚さ方向のうち幅方向にのみスライド可能となっている。
【００１７】
ここで、下ケース１２の端縁部１４に対し反対側となる蓋体２７の端縁部３４の長さ方向における中央には端縁部１４側に円弧状に凹む入力凹部３５が形成されており、この入力凹部３５を含む蓋体２７の上記端縁部３４には表面側に突出する突起リブ３６が形成されている。また、端縁部３４と対向するスライド凹部１９の内端縁部３２にも入力凹部３５に対向して円弧状に凹む逃凹部３７が形成されている。入力凹部３５は、使用者が蓋体２７のスライド操作のためにかけた指のずれを防止することでこのスライド操作の操作性を高めるものであり、逃凹部３７は、入力凹部３５に使用者が指をかける際の逃げである。なお、蓋体２７の表面には、電池収納凹部１８を閉塞する方向を指す形状の表示部３９が形成されている。
【００１８】
そして、蓋体２７には、突起リブ３６側に、長さ方向一側に突出する突起部４１と長さ方向逆側に突出する突起部４２とが形成されている。下ケース１２の内側には、蓋体２７の長さ方向における位置を突起部４１と合わせた固定リブ４４が、スライド凹部１９の内端縁部３２よりも電池挿入開口部１６に対し反対側に形成されている。そして、図５にも示すように、この固定リブ４４と突起部４１との間には、コイルスプリング（付勢部材）４５が介装されている。このコイルスプリング４５は蓋体２７をスライド凹部１９の方向すなわち開方向に付勢するものである。
【００１９】
蓋体２７の突起部４２には、先端に電池挿入開口部１６の側に凹む段部４７が形成されており、下ケース１２の内側には、蓋体２７の長さ方向における位置を段部４７と合わせたロック部材４８が設けられている。このロック部材４８は、図１に示すように、段部４７に係合可能な凸部４９を端部に有するとともに、下ケース１２に形成された穴部５０に挿入されるロック解除ボタン５１を有しており、下ケース１２と上ケース１３との間に収納された状態で設けられている。ロック部材４８は、ロック解除ボタン５１が押されていない状態では、自らの復元力で、凸部４９を段部４７に当接可能とする一方、ロック解除ボタン５１が使用者により押されると、押圧の方向に弾性変形して凸部４９をこの方向に移動させ、蓋体２７の段部４７の通過を可能とする。
【００２０】
すなわち、ロック解除ボタン５１が押されていない状態では、ロック部材４８は、電池挿入開口部１６の内端縁部３１に当接した状態の蓋体２７の段部４７に凸部４９を当接させ、コイルスプリング４５で付勢される蓋体２７を内端縁部３１に当接させた状態でロックする。ここで、蓋体２７で電池収納凹部１８を閉塞した通常の使用状態は、この状態となっている（図１に示す状態）。
【００２１】
電池収納凹部１８の電池１５を交換する際には、上記状態からロック解除ボタン５１が使用者により押され、その結果、ロック部材４８は、凸部４９を段部４７から逃がして当接を解除する。すると、コイルスプリング４５の付勢力で蓋体２７がスライドしスライド凹部１９側の内端縁部３２に当接する。これにより、蓋体２７は電池収納凹部１８を開放させる（図４に示す状態）。この状態で使用者が露出した電池収納凹部１８内の電池１５を交換する。
【００２２】
電池１５の交換が終了すると、上記状態から使用者により、ロック解除ボタン５１が押された状態でコイルスプリング４５の付勢力に抗して蓋体２７が電池挿入開口部１６の内端縁部３１に当接するまでスライドさせられた後、ロック解除ボタン５１の押圧が解除される。すると、ロック部材４８は、蓋体２７の段部４７に凸部４９を当接させ、コイルスプリング４５で付勢される蓋体２７を内端縁部３１に当接させた状態でロックする。すなわち、蓋体２７で電池収納凹部１８を閉塞した通常の使用状態に戻る（図１に示す状態）。
【００２３】
なお、ロック解除ボタン５１は、押圧されない状態では下ケース１２の表面と面一とされている。ここで、ロック部材４８と蓋体２７の突起部４２が蓋体２７を閉状態でケース本体１１に対しロックするロック機構５３を構成している。
【００２４】
以上に述べた第１実施形態の小型電子機器の電池蓋構造によれば、蓋体２７がケース本体１１に対しスライドのみ可能に支持されているため、電池１５の交換に際しては蓋体２７をスライドさせるのみであり、よって、誤操作を防止できる。また、蓋体２７がケース本体１１に対し取り外し不可であるため、蓋体２７を紛失することがない。したがって、電池１５の交換に際して蓋体２７に破損を生じたり蓋体２７を紛失したりすることを防止できる。
【００２５】
加えて、蓋体２７がスライドの全範囲においてケース本体１１より外側に突出しないため、蓋体２７を外側にスライドさせた状態でこの蓋体２７に何かが衝突することにより蓋体２７が損傷してしまうことも防止できる。
【００２６】
また、電池１５の交換時に、ロック機構５３によるロックを解除することでコイルスプリング４５で蓋体２７を自動的に開作動させることができる。
【００２７】
なお、第１実施形態においては、コイルスプリング４５で蓋体２７を開方向に付勢するとともに、ロック機構５３が蓋体２７を閉状態でケース本体１１に対しロックする場合を例にとり説明したが、コイルスプリングで蓋体を閉方向に付勢するとともに、ロック機構が蓋体を開状態でケース本体に対しロックするようにしてもよく、この場合、コイルスプリングで蓋体を自動的に閉作動させることができることになる。
【００２８】
次に、本発明の第２実施形態の小型電子機器の電池蓋構造を図６を参照して第１実施形態との相違部分を中心に以下に説明する。なお、第１実施形態と同様の部分には同一の符号を付しその説明は略す。
【００２９】
第１実施形態では、下ケース１２の電池挿入開口部１６よりも端縁部１４に対し反対側すなわち内側に、下ケース１２の表面よりも凹むスライド凹部１９が形成されていたが、第２実施形態では、下ケース１２の電池挿入開口部１６よりも端縁部１４側すなわち外側に、下ケース１２の表面よりも凹むスライド凹部１９が外側まで抜けるように形成されている。
【００３０】
蓋体２７は、スライド凹部１９の側にスライドしたときには、例えば、突起部４１，４２が下ケース１２に形成されたストッパ部５５に当接することでそれ以上のスライドが規制されることになり、このストッパ部５５が蓋体２７のスライドに対する開方向のストッパとなる。このストッパ部５５に当接するまでスライドした状態で、蓋体２７は、電池挿入開口部１６を開放し、その結果、電池収納凹部１８を電池交換可能に露出させた状態となる。
【００３１】
そして、第２実施形態でも蓋体２７のスライドの全範囲において、ガイド突起部２９はガイド溝２５に挿入され、かつ蓋体本体２８が下ケース１２の内端縁部２１，２２で案内されることになり、その結果、蓋体２７は、ケース本体１１に対しいずれの方向の回転も規制されて直線状のスライドのみが可能とされ、かつケース本体１１に対し取り外し不可に支持されている。
【００３２】
そして、下ケース１２の固定リブ４４と蓋体２７の突起部４１との間に介装されたコイルスプリング４５は、この場合、蓋体２７を電池挿入開口部１６の方向すなわち閉方向に付勢するものである。
【００３３】
また、ロック機構５３は、蓋体２７の突起部４２の段部４７にロック部材４８の凸部４９を係合させることで蓋体２７をケース本体１１に対しロックするようになっているが、この場合、蓋体２７を、突起部４１，４２がストッパ部５５に当接した状態、すなわ開状態でロックする。
【００３４】
このような第２実施形態の小型電子機器の電池蓋構造によっても、蓋体２７がケース本体１１より外側に突出しないことによる効果と、蓋体２７を自動的に開作動させる効果とを除き、第１実施形態と同様の効果を奏することができる。
【００３５】
他方、電池交換時に、ロック機構５３によるロックを解除することでコイルスプリング４５で蓋体２７を自動的に閉作動させることができる。
【００３６】
なお、第２実施形態においては、コイルスプリング４５で蓋体２７を閉方向に付勢するとともに、ロック機構５３が蓋体２７を開状態でケース本体１１に対しロックする場合を例にとり説明したが、コイルスプリングで蓋体を開方向に付勢するとともに、ロック機構が蓋体を閉状態でケース本体に対しロックするようにしてもよい。
【００３７】
ここで、以上の第１，第２実施形態では、いずれもコイルスプリング４５を蓋体２７の長さ方向における一側に設け、ロック機構５３を蓋体２７の長さ方向における逆側に設ける場合を例にとり説明したが、コイルスプリング４５を前記逆側に設けロック機構５３を前記一側に設けることも可能である。
【００３８】
さらに、図７に示すように、コイルスプリング４５を蓋体２７の長さ方向における中央に設けることも可能である（図７は第１実施形態に対する変形例）。この場合、蓋体２７の長さ方向における中央にコイルスプリング４５の一端を係合させる係合リブ５７を設けるとともに、コイルスプリング４５の他端を係合させる固定リブ４４も蓋体２７の長さ方向における下ケース１２の中央に設けることになる。このように構成すれば、ロック機構５３を蓋体２７の長さ方向における両側に設けることも可能であり、両側のロック機構５３を連動してロック解除するようにすることも可能である。
【００３９】
【発明の効果】
以上詳述したように、本発明の小型電子機器の電池蓋構造によれば、蓋体がケース本体に対しスライドのみ可能かつ取り外し不可に支持されているため、電池交換に際しては蓋体をスライドさせるのみであり、よって、誤操作を防止できる。また、蓋体がケース本体に対し取り外し不可であるため、蓋体を紛失することがない。したがって、電池交換に際して蓋体に破損を生じたり蓋体を紛失したりすることを防止できる。
【００４０】
ここで、前記蓋体を開方向に付勢する付勢部材と、前記蓋体を閉状態で前記ケース本体に対しロックするロック機構とを有する構造にすれば、電池交換時に、ロック機構によるロックを解除することで付勢部材で蓋体を自動的に開作動させることができる。
【００４１】
また、前記蓋体を閉方向に付勢する付勢部材と、前記蓋体を開状態で前記ケース本体に対しロックするロック機構とを有する構造にすれば、電池交換時に、ロック機構によるロックを解除することで付勢部材で蓋体を自動的に閉作動させることができる。
【図面の簡単な説明】
【図１】本発明の第１実施形態の小型電子機器の電池蓋構造を示す部分透過平面図であって、蓋体が閉じられた状態を示すもの。
【図２】本発明の第１実施形態の小型電子機器の電池蓋構造を示す図１におけるＡ−Ａ線に沿う断面図である。
【図３】本発明の第１実施形態の小型電子機器の電池蓋構造を示す図１におけるＢ−Ｂ線に沿う断面図である。
【図４】本発明の第１実施形態の小型電子機器の電池蓋構造を示す部分透過平面図であって、蓋体が開かれた状態を示すもの。
【図５】本発明の第１実施形態の小型電子機器の電池蓋構造を示す図１におけるＣ−Ｃ線に沿う断面図である。
【図６】本発明の第２実施形態の小型電子機器の電池蓋構造を示す部分透過平面図であって、蓋体が開かれた状態を示すもの。
【図７】本発明の第１実施形態の小型電子機器の電池蓋構造に対する変形例を示す部分透過平面図であって、蓋体が閉じられた状態を示すもの。
【図８】従来の小型電子機器の電池蓋構造を示す部分透過平面図であって、蓋体が取り外された状態を示すもの。
【符号の説明】
１０　小型電子機器
１５　電池
１８　電池収納凹部
１１　ケース本体
２７　蓋体
４５　コイルスプリング（付勢部材）
５３　ロック機構
【図１】
2004022488.tif 000003
【図２】
2004022488.tif 000004
【図３】
2004022488.tif 000005
【図４】
2004022488.tif 000006
【図５】
2004022488.tif 000007
【図６】
2004022488.tif 000008
【図７】
2004022488.tif 000009
【図８】
2004022488.tif 000010